(57)【要約】引き出し等のための引き出しガイド（１０）であって、１つの家具の本体にくくり付けることができる固定ガイド部品（１１）と、引き出し等に取り付けることができる可動ガイド部品（１２）と、固定ガイド部品（１１）と可動ガイド部品（１２）との間に配置された中間ガイド部品（１３）と、固定ガイド部品（１１）と中間ガイド部品（１３）との間に挿入された少なくとも１つの第１の滑り台車（carriage）（１４）と、可動ガイド部品（１２）と中間ガイド部品（１３）との間に挿入された少なくとも１つの第２の滑り台車（carriage）（１５）と、を備え、中間ガイド部品（１３）上に配置され、引き出しガイドの引き出しまたは収納動作の際に固定ガイド部品（１１）と可動ガイド部品（１２）とを互いに機能的に連結するため輪郭に合わせて形成された、少なくとも１つの同期化要素（１６）を備えた引き出しガイドの同期化手段をさらに設ける。
2021503324.tif 000002
【特許請求の範囲】
【請求項１】
引き出し等のための引き出しガイド（１０）であって、
１つの家具の本体にくくり付けることができる固定ガイド部品（１１）と、
引き出し等に取り付けることができる可動ガイド部品（１２）と、
前記固定ガイド部品（１１）と前記可動ガイド部品（１２）との間に配置された中間ガイド部品（１３）と、
前記固定ガイド部品（１１）と前記可動ガイド部品（１２）との間に挿入された少なくとも１つの第１の滑り台車（carriage）（１４）と、
前記可動ガイド部品（１２）と前記中間ガイド部品（１３）との間に挿入された少なくとも１つの第２の滑り台車（carriage）（１５）と、
前記引き出しガイドの同期化手段と、
を備え、
前記同期化手段は、前記中間ガイド部品（１３）上に配置され、前記引き出しガイドの引き出しまたは収納動作の際に、前記固定ガイド部品（１１）と前記可動ガイド部品（１２）とを互いに機能的に連結するため輪郭に合わせて形成された、少なくとも１つの同期化要素（１６）を有する、引き出し等のための引き出しガイド（１０）。
【請求項２】
前記第１の滑り台車（carriage）（１４）は、前記固定ガイド部品（１１）の曲がった端部（１１’）と前記中間ガイド部品（１３）との間に挿入され、前記可動ガイド部品（１２）は、前記中間ガイド部品（１３）と固定ガイド部品（１１）の前記曲がった端部（１１’）を少なくとも部分的に囲みその上に置かれている、部分的に閉鎖された部分を有する、請求項１に記載の引き出しガイド（１０）。
【請求項３】
少なくとも１つの前記同期化要素（１６）が、前記固定ガイド部品（１１）と前記可動ガイド部品（１２）上の対応する噛み合い部分（１７、１８）と互いに作用し、前記噛み合い部分（１７、１８）が、少なくとも前記ガイド部品（１１，１２）の長手方向部分に沿って、互いに対抗するように延在する、請求項１または２に記載の引き出しガイド（１０）。
【請求項４】
前記噛み合い部分（１７，１８）がラックを形成し、前記同期化要素（１６）が前記中間ガイド部品（１３）上で回転できるように支持され、前記ラックの間に挿入された、少なくとも１つのピニオンを形成する、請求項３に記載の引き出しガイド（１０）。
【請求項５】
前記噛み合い部分（１７，１８）を、前記固定ガイド部品（１１）と前記可動ガイド部品（１２）に取り付けた異なる支持要素（１９，２０）に定めた、請求項３または４に記載の引き出しガイド（１０）。
【請求項６】
少なくとも１つの前記支持要素（１９，２０）が、対応する前記噛み合い部分（１８）が定められた延在部分（２１）を有し、前記噛み合い部分（１８）が他の前記噛み合い部分（１７）と対抗して配置されるように前記延在部分（２１）が突出した、請求項５に記載の引き出しガイド（１０）。
【請求項７】
前記同期化要素（１６）が軸によって回転できるように支持され、前記支持要素（２０）の前記延在部分（２１）が、前記同期化要素（１６）の前記回転軸と垂直方向に制御された状態で弾性降伏する、請求項６に記載の引き出しガイド（１０）。
【請求項８】
前記噛み合い部分が噛み合いおよび／または転がり面を形成し、前記同期化要素は、前記中間ガイド部品（１３）上を回転できるように支持され、前記噛み合いおよび／または転がり面の間に挿入された少なくとも１つの摩擦車を形成した、請求項３に記載の引き出しガイド（１０）。
【請求項９】
前記同期化要素（１６）が、縦方向の（vertical）、横方向の（horizontal）、傾いた軸によって回転できるように支持された、請求項１から８の少なくとも１つに記載の引き出しガイド（１０）。
【請求項１０】
前記噛み合い部分が前記固定ガイド部品（１１）と前記可動ガイド部品（１２）上に直接定められた、請求項３に記載の引き出しガイド（１０）。
【請求項１１】
前記可動ガイド部品（１２）が長手方向の軸に沿って延在し、前記可動ガイド部品（１２）上に設けた前記噛み合い部分（１８）が、前記可動ガイド部品（１２）の長手方向の軸と平行な軸に沿って延在する、請求項３から１０の少なくとも１つに記載の引き出しガイド（１０）。
【請求項１２】
前記可動ガイド部品（１２）が長手方向の軸に沿って延在し、前記可動ガイド部品（１２）に設けた前記噛み合い部分（１８）が、縦方向の（vertical）面において前記可動ガイド部品（１２）の前記長手方向の軸に対して傾斜を有する軸に沿って延在する、請求項３から１０の少なくとも１つに記載の引き出しガイド（１０）。
【請求項１３】
前記異なる支持要素（１９，２０）が、リベットで留められたくくりつけ要素、ネジで留められた固定要素、またはスナップ作動（snap-acting）固定手段を用いて、前記ガイド部品（１１，１２）に固定することができる、請求項５から１２の少なくとも１つに記載の引き出しガイド（１０）。
【請求項１４】
前記固定ガイド部品（１１）に対する前記中間ガイド部品（１３）の移動と、前記中間ガイド部品（１３）に対する前記可動ガイド部品（１２）の移動との間に変速比を１と定める、１つの前記同期化要素（１６）を有する、請求項１から１３の少なくとも１つに記載の引き出しガイド（１０）。
【請求項１５】
前記固定ガイド部品（１１）に対する前記中間ガイド部品（１３）の移動と、前記中間ガイド部品（１３）に対する前記可動ガイド部品（１２）の移動との間に、１以外の変速比を定める、互いに連結された少なくとも１つの第１の同期化要素１６’と１つの第２の同期化要素１６”を有する、請求項１から１３の少なくとも１つに記載の引き出しガイド（１０）。
【請求項１６】
請求項１から１５の少なくとも１つに記載の前記引き出しガイドを用いて、引き出し等をこの家具の本体に対して引き出すことができる少なくとも１つの引き出し等を設けた１つの家具。
【発明の詳細な説明】
【技術分野】
【０００１】
本発明は、引き出し等のための引き出しガイド、特に完全引き出しタイプのガイド、に関する。引き出しガイドは、１つの家具の本体にくくり付けることができる固定ガイド部品と引き出し等に取り付けることができる可動ガイド部品との間に配置された中間ガイド部品を有する。中間ガイド部品を、滑り台車（carriages）を用いて、可動ガイド部品および固定ガイド部品に対して動かすことができる。
【背景技術】
【０００２】
引き出しに、完全引き出しガイドを用いることが知られている。これは、１つの家具の本体にくくり付けることができる固定ガイド部品と、引き出し等に取り付けることができる可動ガイド部品と、その間に配置される中間ガイド部品を有する。これらガイド部品を、転がり滑り要素が設けられた台車（carriages）を用いて、互いに対して動かすことができる。転がり滑り要素は、ガイドの前記部品の間に挿入され、ガイド部品に沿って適当な停止位置の間において移動できる。
【０００３】
特定の構造的な制限を除き、ガイドの引き出しまたは収納動作の際に、理想的には、固定ガイド部品に対する中間ガイド部品の移動が、中間ガイド部品に対する可動ガイド部品の移動と概ね同一にすべきである。さらに、滑り台車（carriages）は、ガイド部品に沿って、中間ガイド部品に対して同程度の共通移動を行うべきである。
【０００４】
しかし、相当な荷重が引き出しに負荷されている際に特に発生し得る、ガイドに沿った台車（carriages）の余分な滑りによって、ガイド部品と台車（carriages）との間の相対位置が不正確になり得る。これによって、引き出しの移動は顕著に異なり、極端な場合、ガイドに従来設けた閉鎖装置による前記引き出しの正しい閉鎖を妨害する。
【０００５】
さらに、もしガイドの開／閉動作中にガイド部品の相対位置が修正されていなければ、前記ガイド部品に過大な応力が発生し、特に完全に引き出した状態において、引き出しの顕著な降下をもたらすことがある。
【０００６】
上で記載した問題を避ける若しくは低減するため、ガイド部品および／または台車（carriages）の共通移動の同期化または連携のための適当な手段の使用が様々提案されている。
【０００７】
例えば、欧州特許公開公報第２１８７７８０号は、滑り台車（carriages）に設けたラックを噛合わせるため、中間ガイド部品に支持されたギアを形成した同期化手段を提案する。しかし、これらの同期化手段では、ガイド部品の配置を確実に制御することができない。さらに、ガイドの構造上のおよび組み立て上のさらなる複雑さが必然的に伴う。なぜなら、各長さのガイドに対して、可動ガイド部品と中間ガイド部品との間に異なる長さを有した滑り台車（carriages）を適宜設ける必要がある。
【０００８】
これらの欠点を少なくとも一部克服するために提案された別の解決策は、例えば、欧州特許公開公報第２５３８８１８号で知られている。この解決策は、中間ガイド部品で支持され、片側で可動ガイド部品の中に設けられたラックと噛合うことができ、もう片側では固定ガイド部品と中間ガイド部品との間の滑り台車（carriages）に設けられたラックと噛合うことができる二重ギアを有する同期化手段を提供することで構成されている。
【発明の概要】
【発明が解決しようとする課題】
【０００９】
しかしながら、このような解決策はまだ欠点を有する。特に、可動ガイド部品の中にラックをくくり付けることは構造的に複雑で、いずれにせよ、ガイド部品の正確な共通位置決めは保証されていない。
【００１０】
本発明の目的は、最適な支持とガイドの部品にかかる荷重のよりよい分布とを達成し、したがって、前記部品にかかる応力の低減と完全に引き出した位置における引き出しの降下の抑制を達成できる、引き出し等のための引き出しガイドを提供することにある。
【００１１】
この目的の範囲内で、本発明の目的は、考慮しているような引き出しガイドを提供することにあり、その引き出しガイドに、非同期化ガイドに対して抑制された改造を伴い、その動作において信頼性が高く静かな動作を保証する動作同期化手段を設けることである。
【課題を解決するための手段】
【００１２】
この目的、さらにこれと後述においてより明らかになる他の目的は、引き出し等のための引き出しガイドによって達成される。この引き出しガイドは、１つの家具の本体にくくり付けることができる固定ガイド部品と、引き出し等に取り付けることができる可動ガイド部品と、前記固定ガイド部品と前記可動ガイド部品との間の中間ガイド部品と、固定ガイド部品と中間ガイド部品との間に配置された少なくとも１つの第１の滑り台車（carriage）と、可動ガイド部品と中間ガイド部品との間に配置された少なくとも１つの第２の滑り台車（carriage）と、引き出しガイドの同期化手段とを備える。前記同期化手段は、前記中間ガイド部品上に配置され、引き出しガイドの引き出しまたは収納動作の際に前記固定ガイド部品および前記可動ガイド部品を互いに機能的に接続するように輪郭に合わせて作られた、少なくとも１つの同期化要素を有する、ことによって特徴づけられる。
【００１３】
本発明のさらなる特徴や長所は続く請求項にさらに記載されている。
【００１４】
本発明の特徴や長所は、引き出し等のための引き出しガイドの、いくつかの、望ましいが限定的ではない実施の形態の後続の説明によってより明確になる。添付の図を参照しながら説明する。
【図面の簡単な説明】
【００１５】
【図１】本発明の一の実施の形態に係る引き出しガイドの下側からの透視図である。
【図２】図１の引き出しガイドの正面図である。
【図３】図１の実施の形態の変形による引き出しガイドの正面図である。
【図４】図１の実施の形態のさらなる変形による引き出しガイドの正面図である。
【発明を実施するための形態】
【００１６】
（実施の形態１）
図１及び図２は、本発明に係る好ましい実施の形態１による引き出し等のための引き出しガイドを示し、引き出しガイドを基本的に符号１０で示す。引き出しガイド１０は、１つの家具の本体にくくり付けることができる固定ガイド部品１１と、引き出し等に取り付けることができる可動ガイド部品１２と、固定ガイド部品１１と可動ガイド部品１２との間の中間ガイド部品１３と、を備える。固定ガイド部品１１と中間ガイド部品１３との間には、少なくとも１つの第１の滑り台車（carriage）１４がある。ガイド部品１１、１３を滑らすために、第１の滑り台車（carriage）１４に、例えば、ローラを形成した、滑り要素１４’を設ける。一方で、中間ガイド部品１３と可動ガイド部品１２との間には、ガイド部品１３、１２を滑らすために滑り要素１５’を有する第２の滑り台車（carriage）１５がある。
【００１７】
ガイド同期化手段をさらに設ける。本発明によると、ガイド同期化手段は、中間ガイド部品１３上に配置され、引き出しガイド１０の引き出しまたは収納動作の際に、固定ガイド部品１１と前記可動ガイド部品１２とを互いに機能的に接続するように輪郭に合わせて作られた、少なくとも１つの同期化要素１６を有する。
【００１８】
このガイドの構造において、第１の滑り台車（carriage）１４は、固定ガイド部品１１の曲がった端部１１’と中間ガイド部品１３との間に挿入される。さらに、中間ガイド部品１３と固定ガイド部品１１の曲がった端部１１’とを少なくとも部分的に囲みそれらの上に置かれるために、可動ガイド部品１２は部分的に閉鎖された部分、例えば逆Ｕ字型のような形状、を有する。
【００１９】
少なくとも１つの同期化要素１６は、固定ガイド部品１１上と可動ガイド部品１２上のそれぞれの噛み合い部分１７、１８と噛み合う。噛み合い部分１７、１８は、前記ガイド部品１１、１２の少なくとも１つの長手方向部分に沿って、互いに対抗するように延在する。
【００２０】
噛み合い部分１７、１８はラックを形成することが望ましい。一方で、同期化要素１６は中間ガイド部品１３に回転的に支持され、ラック１７、１８の間に挿入した、少なくとも１つのピニオンを形成する。
【００２１】
組み立ての簡単化のため、および従来の非同期化ガイドに新部品を追加導入したタイプの選択的後の装着をできるようにするため、噛み合い部分１７、１８は、固定と可動ガイド部品１１、１２に取り付ける別々の支持要素１９、２０上に形成されることが望ましい。
【００２２】
特に、固定ガイド部品１１の曲がった部分１１’の側壁面１１”に取り付けられた、例えば、細長いきれ形状のまたは引き延ばされた構成要素を形成した、第１の支持要素１９を備えることが好ましい。前記要素は、ラック１７とともに側方に（laterally）設ける。ラック１７は、その延在の少なくとも一部において、固定ガイド部品１１の先端から始まり、長手方向に延在する。
【００２３】
引き延ばされた要素１９はプラスチック材料またはその他の適当な材料で形成することができる。例えば、側壁面１１”の改造された穴に挿入し最終的にリベットで留めるために、要素１９から突き出たピンやラグを設けることによって、前記要素を固定することができる。または、ネジで留めた固定要素を用いて、前記要素を固定することができる。または、新部品の追加導入の装着（retrofit application）も可能にするために、スナップ作動（snap-acting）固定手段を用いて、前記要素１９を固定することができる。
【００２４】
可動ガイド部品１２の側壁面１２’に取り付けられた、例えば、引き延ばされたまたは適当な形状を有する細長いきれや板を形成した、第２の支持要素２０も備えることが好ましい。前記要素は、対応するラック１８を有し、その延在の少なくとも一部において、可動ガイド部品１２の末端から始まり、長手方向に延在する。
【００２５】
支持要素２０はプラスチック材料またはその他の適当な材料で形成することができる。例えば、リベットで留めて固定するための、別々なまたは前記要素に属した、固定ネジ、ピンやダボを挿入するため、可動ガイド部品１２の側壁面１２’に鋲付き穴を設けることによって、支持要素２０を固定することができる。または、新部品の追加導入の装着（retrofit application）も可能にするため、スナップ作動（snap-acting）固定手段を用いて、支持要素２０を固定する。
【００２６】
噛み合い部分１７、１８を互いに対抗するように配置するためには、少なくとも１つの支持要素、例えば支持要素２０は、延在部分２１を有する。延在部分２１の上に対応する噛み合い部分１８が形成される。第１の支持部要素１９上の他の噛み合い部分１７の前におよびそれと対抗するように噛み合い部分１８を配置するため、延在部分２１は下方（downwards）に突出する。
【００２７】
図１及び図２に示す場合では、同期化要素１６は縦方向の（vertical）軸の周りを回転できるように支持される。例えば、中間ガイド部品１３に沿って横方向に（horizontally）延在する中間ガイド部品１３の側方の（lateral）バンド１３’に、例えば、リベットで留めることで、固定されたピヴォット２２によって支持される。
【００２８】
同期化要素１６の回転軸の他の配置も可能であることは、いずれの場合も除外されない。例えば、横方向の（horizontal）や傾いた回転軸や、結果的に噛み合い部分の他の配置も可能である。
【００２９】
例えば、図３に、本発明に係る引き出しガイドの変形を示す。この変形では、同期化要素１６は、横方向の（horizontal）軸に沿って中間ガイド部品１３によって回転できるよう支持される。第１のラック１７は上方（upwards）に向けられ、例えば、側方に（laterally）および軸方向に引き延ばされた板を形成する第１の支持要素１９に支持される。第２のラック１８は下方（downwards）に向けられ、軸方向に延在し可動ガイド部品１２の片側に固定された、例えば、適当に輪郭に合わせて作られた板を形成する第２の支持要素２０に支持される。
【００３０】
図１及び図２の実施の形態１に戻ると、支持要素２０の延在部分２１は、制御された状態で同期化要素１６の回転軸と垂直方向に弾性的に降伏するように、適当に輪郭に合わせて作られた断面または特定の形状を有することが望ましい。このように、その長手軸に沿った可動ガイド部品１２の振動を埋め合わせることができる。また、同期化要素１６を延在部分２１に設けた噛み合い部分１８から選択的に噛み合いを解くことができる。これは、例えば、ガイドの不適切な運送や組み立て状況によって、ガイド部品が互いに相殺された極端な場合において必要になり得る状況である。
【００３１】
代わりに、いずれの場合も、噛み合い部分のおよび／または同期化要素１６において、制御した弾性降伏の他の状態を設けることができる。
【００３２】
可動ガイド部品１２に設けた噛み合い部分１８は、可動ガイド部品１２の長手方向の軸と平行な軸に沿って延在するように、または、縦方向の（vertical）面上の前記長手方向の軸に対して傾斜を有する軸に沿って延在するように、配置することができる。これによって、引き出された状態の、荷重をかけられた引き出しにおいて、他のガイド部品に対する可動ガイド部品１２の降下または振動を埋め合わせることができる。
【００３３】
図１及び図２で示す場合では、１つの同期化要素１６を備え、それは固定ガイド部品１１に対する中間ガイド部品１３の移動と、中間ガイド部品１３に対する可動ガイド部品１２の移動との間に変速比を１と定める。
【００３４】
代わりに、図４で示すように、少なくとも１つの第１の同期化要素１６’と１つの第２の同期化要素１６”も設けることができる。これらは、互いに一体的に連結され、固定ガイド部品１１に対する中間ガイド部品１３の移動と、中間ガイド部品１３に対する可動ガイド部品１２の移動との間に、１以外の変速比を定める。この場合、噛み合い部分１７、１８を、それぞれが対応する同期化要素１６’、１６”と噛み合うように、適当に相殺させる必要がある。
【００３５】
噛み合い部分を、固定と可動ガイド１１、１２上に直接形成し得ることは、除外されない。
【００３６】
さらに、ラックとピニオンを用いた構造の代わりに、噛み合い部分を噛み合いおよび／または転がり面によって形成し、同期化要素を、中間ガイド部品１３上に回転支持され前記噛み合い部分の間に挿入された、少なくとも１つの摩擦車によって形成し得ることは、除外されない。
【００３７】
前述の説明より、本発明に係る引き出し等のための引き出しガイドは、最適な支持およびガイド部品上の負荷のより良い分布を実現できる、ガイド部品の安全な連携を可能にすることが明らかである。
【００３８】
さらに、本発明に係る引き出し等のための引き出しガイドは、非同期化ガイドに対して軽減された改造を必然的に伴う動作同期化手段を備える。特に、同期化手段は、滑り台車（carriages）の適当な構成を設ける必要はない、たった数点の追加部品を有する。
【００３９】
本発明に係る引き出し等のための引き出しガイドは、いずれの場合においても、添付の請求項の範囲内の改造や変形に影響されやすい。構造上の詳細は、さらに、技術的に同等な要素に置き換えることができる。
【００４０】
本出願は、イタリア特許出願第１０２０１７０００１３２１３７号の開示に基づいて優先権を主張し、その全体の内容が参照により本明細書に組み込まれる。
【００４１】
いずれかの請求項に記載された技術的特徴に続き参照符号が記載されている場合、これら参照符号は、請求項のわかりやすさを向上させるためのみに含まれる。したがって、これら参照符号は、その参照符号の例示によって特定される各要素の解釈に対して、制限する効果を有しない。
【図１】
2021503324.tif 000003
【図２】
2021503324.tif 000004
【図３】
2021503324.tif 000005
【図４】
2021503324.tif 000006
【国際調査報告】
2021503324.tif 000007
2021503324.tif 000008